(57)【要約】  本発明は、粒子形態の固体洗濯洗剤組成物であって、（ａ）アニオン性洗浄界面活性剤；（ｂ）カルシウム増大技術；（ｃ）前記組成物の０重量％〜５重量％未満のゼオライトビルダー；（ｄ）前記組成物の０重量％〜５重量％未満のリン酸塩ビルダー；および（ｅ）所望により前記組成物の０重量％〜５重量％未満のケイ酸塩を含む、固体洗濯洗剤組成物を提供する。【特許請求の範囲】
【請求項１】
粒子形態の固体洗濯洗剤組成物であって、
（ａ）アニオン性洗浄界面活性剤、
（ｂ）カルシウム増大技術、
（ｃ）前記組成物の０重量％〜５重量％未満のゼオライトビルダー、
（ｄ）前記組成物の０重量％〜５重量％未満のリン酸塩ビルダー、および
（ｅ）所望により前記組成物の０重量％〜５重量％未満のケイ酸塩
を含む、固体洗濯洗剤組成物。
【請求項２】
前記組成物が漂白促進成分を含む、請求項１に記載の組成物。
【請求項３】
前記組成物が遷移金属イオン系漂白触媒を含む、請求項１または２に記載の組成物。
【請求項４】
前記組成物が高エトキシ化非イオン性界面活性剤を含む、請求項１〜３のいずれか１項に記載の組成物。
【請求項５】
前記組成物がポリアミドアミンを含む、請求項１〜４のいずれか１項に記載の組成物。
【請求項６】
前記組成物が四級ニトリル漂白促進成分を含む、請求項１〜５のいずれか１項に記載の組成物。
【請求項７】
前記組成物が硬度耐性界面活性剤系を含む、請求項１〜６のいずれか１項に記載の組成物。
【請求項８】
前記組成物がバーク石を含む、請求項１〜７のいずれか１項に記載の組成物。
【請求項９】
前記組成物がグルカナーゼを含む、請求項１〜８のいずれか１項に記載の組成物。
【請求項１０】
前記組成物がリパーゼを含む、請求項１〜９のいずれか１項に記載の組成物。
【請求項１１】
前記組成物がポリビニルピロリドンを含む、請求項１〜１０のいずれか１項に記載の組成物。
【請求項１２】
前記組成物がカルボキシメチルセルロースを含む、請求項１〜１１のいずれか１項に記載の組成物。
【請求項１３】
前記組成物が蛍光漂白剤を含む、請求項１〜１２のいずれか１項に記載の組成物。
【請求項１４】
前記組成物が硫酸マグネシウムを含む、請求項１〜１３のいずれか１項に記載の組成物。
【請求項１５】
前記組成物が泡立ち系を含む、請求項１〜１４のいずれか１項に記載の組成物。
【請求項１６】
前記組成物が非イオン性洗浄界面活性剤を含む、請求項１〜１５のいずれか１項に記載の組成物。
【請求項１７】
前記非イオン性洗浄性界面活性剤が固体形態である、請求項１６に記載の組成物。
【請求項１８】
前記非イオン性洗浄性界面活性剤が炭酸エステル塩である、請求項１６に記載の組成物。
【請求項１９】
前記非イオン性洗浄性界面活性剤がアルキルポリグルコシドである、請求項１６に記載の組成物。
【請求項２０】
前記組成物がシリカおよび所望によりヒドロトロープを含み、かつ前記非イオン性洗浄性界面活性剤がシリカと所望によりヒドロトロープとの共粒子の形態である、請求項１６に記載の組成物。
【請求項２１】
請求項１６に記載の組成物を調整するための方法であって、
前記非イオン性洗浄性界面活性剤が超加熱スチームスプレー乾燥プロセスに付される、方法。
【請求項２２】
請求項１６に記載の組成物を調製するための方法であって、
（ｉ）アニオン性洗浄界面活性剤を含む水性混合物を調製する工程、
（ｉｉ）非イオン性洗浄性界面活性剤を前記水性混合物に接触させる工程、および
（ｉｉｉ）工程（ｉｉ）から得られた前記混合物を乾燥工程に付す工程
を含み、
前記工程（ｉｉｉ）が前記工程（ｉｉ）終了から３００秒以内に開始される、方法。
【請求項２３】
前記工程（ｉｉｉ）がスプレー乾燥工程である、請求項２２に記載の方法。
【請求項２４】
請求項１６に記載の組成物を調整するための方法であって、
（ｉ）アニオン性洗浄界面活性剤を超加熱スチームスプレー乾燥工程に付す工程、および
（ｉｉ）非イオン性界面活性剤を工程（ｉ）で形成された生成物に接触させる工程、
を含む、方法。
【発明の詳細な説明】
【技術分野】
【０００１】
本発明は、アニオン性洗浄界面活性剤およびカルシウム増大技術を含む固体洗濯洗剤組成物に関する。本発明の組成物は、良好な分与および溶解特性、かつ優れた洗浄性能を有する。
【背景技術】
【０００２】
比較的最近において、多くの洗剤製造業者は、粒状洗濯洗剤の溶解および分与性能を大幅に向上させようと試みてきた。多くの洗剤製造業者が焦点を合わせてきた取り組みは、ゼオライトビルダーのような非水溶性ビルダーの、粒状洗濯洗剤製剤中あるいは粒状洗濯洗剤製剤から濃度を著しく低減させること、または更に完全に除去することである。しかし、洗剤製造業者が粒状洗濯洗剤に十分な量のトリポリリン酸ナトリウムのようなリン酸塩系水溶性ビルダーを組み込むことを阻止する、多国でのリン酸塩使用回避法に起因して、および洗剤製造業者が利用できる実行可能な代わりの非リン酸塩系水溶性ビルダーがないことに起因して、多くの洗剤製造業者が焦点を合わせてきた取り組みは、ゼオライト系ビルダー系を、同等な程度のビルダー機能を有する水溶性ビルダー系に完全に置き換えるのではなく、その代わりに構築された（under-built）粒状洗濯洗剤組成物を処方することであった。
【０００３】
この構築された取り組みは、粒状洗濯洗剤の溶解および分与性能を著しく改善するが、洗濯プロセス間に、粒状洗濯洗剤組成物のビルダー系によって洗浄溶液から除去されない著しい量のカルシウムのようなカチオンに起因して、問題が存在する。これらのカチオンは、溶液からアニオン性洗浄界面活性剤の沈殿を引き起こすような方法で、粒状洗濯洗剤組成物のアニオン性洗浄界面活性剤系の妨げとなり、これは、アニオン性洗浄界面活性剤活性および洗浄性能の低減を引き起こす。極端な場合は、これらの非水溶性錯体が布地に付着して、その結果、白色度の維持を低下させて、布地完全性効果（fabric integrity benefits）を低下させる可能性がある。洗濯洗剤が、高濃度のカルシウムカチオンが存在する硬水洗浄条件下で使用されるとき、これは特に問題である。
【発明の開示】
【発明が解決しようとする課題】
【０００４】
本発明者は、アニオン性洗浄界面活性剤とカルシウム増大技術を組み合わせて使用することにより、構築された（under-built）洗剤組成物の洗浄性能が改善されることを見出した。
【０００５】
チャーチ＆ドワイト社（Church & Dwight Co. Inc.）のカール（Carr）らによる米国特許第５，５５２，０７８号は、活性界面活性剤を含む粉末状洗濯洗剤組成物に関する。米国特許第５，５５２，０７８号の組成物は、実質的な量のリン酸塩ビルダーが組成物に存在するときに起こる富栄養化の問題を回避すると同時に、組成物が多量の炭酸塩ビルダーを含有するときに存在することが多い布地エンクラステーションの問題を最小限にする一方で、布地の優れた洗浄および漂白を示すとされている。
【０００６】
チャーチ＆ドワイト社（Church & Dwight Co. Inc.）のマッツォーラ（Mazzola）による米国特許第６，２７４，５４５Ｂ１号は、洗浄溶液中の不溶洗剤残留物の残留が最小限である冷水布地洗濯において利用できるとされている高炭酸塩低リン酸塩粉末洗濯洗剤製剤に関する。米国特許第６，２７４，５４５Ｂ１号の洗剤組成物は、部分的に硫酸化され中和されたエトキシ化アルコール界面活性剤とポリエチレングリコール成分とのアニオン性／非イオン性界面活性剤ブレンドを含み、洗浄溶液中の洗濯洗剤固体の溶解度を向上するとされている。
【０００７】
プロクター・アンド・ギャンブル社のアスキュー（Askew）らによるＰＣＴ国際公開特許ＷＯ９７／４３３６６は、泡立ち系を含む洗剤組成物に関する。ＰＣＴ国際公開特許ＷＯ９７／４３３６６は、炭酸塩構築（built）漂白剤を含まない洗剤組成物を例示する。
【０００８】
プロクター・アンド・ギャンブル社のハートショーン（Hartshorn）らによるＰＣＴ国際公開特許ＷＯ００／１８８７３は、良好な分与性能を有するとされる、および洗濯プロセス後、布地上に残留物を残さないとされる洗剤組成物に関する。
【０００９】
プロクター・アンド・ギャンブル社のハートショーン（Hartshorn）らによるＰＣＴ国際公開特許ＷＯ００／１８８５９は、洗濯プロセスにおける、洗浄溶液への成分の送達が改善されるとされる洗剤組成物に関する。ＰＣＴ国際公開特許ＷＯ００／１８８５９の組成物は、水との接触時にすぐにゲル化せず、洗濯プロセス後、布地上に非水溶性残留物を残さないとされる。ＰＣＴ国際公開特許ＷＯ００／１８８５９の組成物は、主に界面活性剤系と密接に混合される水溶性ビルダー系を含む。
【００１０】
ヒンズーステイン・リーバー社（Hindustain Lever Limited）のファン・デル・ホーフェン（Van der Hoeven）らによるＰＣＴ国際公開特許ＷＯ０２／０５３６９１は、１０重量％超過のカルシウム耐性界面活性剤、０．１重量％〜１０重量％のリン酸塩ビルダーおよび／またはゼオライトビルダーから選択される強力なビルダー系、並びに３５重量％未満の非機能性非アルカリ水溶性無機塩を含む洗濯洗剤組成物に関する。
【課題を解決するための手段】
【００１１】
本発明は、粒子形態の固体洗濯洗剤組成物であって、（ａ）アニオン性洗浄界面活性剤、（ｂ）カルシウム増大技術、（ｃ）前記組成物の０重量％〜５重量％未満のゼオライトビルダー、（ｄ）前記組成物の０重量％〜５重量％未満のリン酸塩ビルダー、および（ｅ）所望により前記組成物の０重量％〜５重量％未満のケイ酸塩を含む、固体洗濯洗剤組成物である。
【発明を実施するための最良の形態】
【００１２】
固体洗濯洗剤組成物
組成物は、アニオン性洗浄界面活性剤、カルシウム増大技術、前記組成物の０重量％〜５重量％未満のゼオライトビルダー、前記組成物の０重量％〜５重量％未満のリン酸塩ビルダー、および所望により前記組成物の０重量％〜５重量％未満のケイ酸塩を含む。組成物は、他の補助剤構成成分を含んでよい。一方組成物は、５重量％以上の量でケイ酸塩を含んでよく、好ましくは組成物は、組成物の０重量％〜５重量％未満のケイ酸塩を含む。
【００１３】
組成物は、粒塊、スプレー乾燥粉末、押出品、フレーク、麺状物、針状物、ビーズ、またはこれらのいずれかの組み合わせのような粒子形態である。組成物は、錠剤の形態のような圧縮粒子形態であってよい。組成物は、ポーチのようなある種の他の１回用量形態であってよく、典型的に少なくとも部分的に、好ましくは完全に、ポリビニルアルコールのような水溶性フィルムに封入される。好ましくは、組成物は、自由流動粒子形態である；自由流動粒子形態とは、典型的に組成物が別個の離散粒子の形態であることを意味する。組成物は、アグロメレーション、スプレー乾燥、押出成形、混合、乾燥混合、液体スプレー方式、ローラー圧縮、球形化、またはこれらのいずれかの組み合わせを包含する任意の好適な方法で作製されてよい。
【００１４】
組成物は、典型的には、４５０ｇ／ｌ〜１，０００ｇ／ｌのバルク密度を有し、好ましい低バルク密度の洗剤組成物は、５５０ｇ／ｌ〜６５０ｇ／ｌのバルク密度を有し、好ましい高バルク密度の洗剤組成物は、７５０ｇ／ｌ〜９００ｇ／ｌのバルク密度を有する。
【００１５】
洗濯プロセス中、組成物は典型的に水と接触して、７を超えて〜１３未満の、好ましくは７を超えて〜１０．５未満のｐＨを有する洗浄溶液を形成する。これは、良好な洗浄を提供すると同時に、良好な布地ケア特性をも確実にするために最適なｐＨである。
【００１６】
組成物は、典型的には、３５℃の温度で測定するとき、０％〜３０％未満、好ましくは０％〜２０％の平衡相対湿度を有する。典型的に、平衡相対湿度は、次のように決定される：３００ｇの組成物を水不透過性材料で作製された１リットル容器に入れ、容器を密閉できる蓋を取り付ける。蓋には、プローブを容器内部へ挿入できるように適合した、密封可能な孔が備えられている。容器とその内容物を温度３５℃で２４時間保持して、温度を平衡させる。固体素子湿度計（テストターム社（Testoterm Ltd）（英国ハプシャー（Hapshire））から販売されているハイグロテスト（Hygrotest）６１００）を用いて、水蒸気圧を測定する。これは、容器の蓋の密封可能な孔から容器内部にプローブを挿入して、ヘッドスペースの水蒸気圧を測定することによって行われる。これらの測定は、水蒸気圧が平衡になるまで１０分おきに行われる。その後、プローブは水蒸気圧測定値を平衡相対湿度値に自動的に変換する。
【００１７】
好ましくは、組成物は、濃度９．２ｇ／ｌおよび温度２０℃で水と接触すると、（ｉ）５００比濁計濁度単位未満の濁度、および（ｉｉ）８〜１２の範囲のｐＨを有する透明な洗浄溶液を形成する。好ましくは、得られる洗浄溶液の濁度は、４００比濁計濁度単位未満、または３００比濁計濁度単位未満、または１０〜３００比濁計濁度単位である。洗浄溶液の濁度は、典型的に、Ｈ１  ９３７０３マイクロプロセッサー濁度計を用いて測定される。洗浄溶液の濁度を測定するための典型的な方法は次の通りである：組成物９．２ｇをビーカー内の１リットルの水に加えて溶液を形成する。溶液を２０℃において６２．８ｒａｄ／ｓ（６００ｒｐｍ）で５分間攪拌する。次に、この溶液の濁度を、製造者の指示に従ってＨ１９３７０３マイクロプロセッサー濁度計を用いて測定する。
【００１８】
アニオン性洗浄界面活性剤
洗剤組成物はアニオン性洗浄界面活性剤を含む。好ましくは、組成物は、組成物の５重量％〜２５重量％のアニオン性洗浄界面活性剤を含む。好ましくは、組成物は、組成物の６重量％〜２０重量％、または７重量％〜１８重量％、または８重量％〜１５重量％、または８重量％〜１１重量％、またはさらに９重量％〜１０重量％のアニオン性洗浄界面活性剤を含む。アニオン性洗浄界面活性剤は、好ましくは、直鎖または分枝鎖、置換または非置換Ｃ８〜１８アルキル硫酸塩；直鎖または分枝鎖、置換または非置換Ｃ８〜１８直鎖状アルキルベンゼンスルホン酸塩；平均アルコキシル化度１〜２０の直鎖または分枝鎖、置換または非置換Ｃ８〜１８アルキルアルコキシル化硫酸塩；直鎖または分枝鎖、置換または非置換Ｃ１２〜１８アルキルカルボン酸塩；およびこれらの混合物から成る群から選択される。アニオン性洗浄界面活性剤は、ローラー圧縮、球形化、またはたはこれらの任意の混合物であることができる。アニオン性界面活性剤は、Ｃ１０〜Ｃ１８アルキルベンゼンスルホン酸塩（ＬＡＳ）、好ましくは直鎖状Ｃ１０〜Ｃ１３アルキルベンゼンスルホン酸塩；Ｃ１０〜Ｃ２０一級、分枝鎖、直鎖およびランダム鎖アルキル硫酸塩（ＡＳ）から成る群から選択されることができ、好ましくは典型的に次の式を有する直鎖状アルキル硫酸塩である：
ＣＨ３（ＣＨ２）ｘＣＨ２−ＯＳＯ３−Ｍ＋，
Ｍは水素または電気的中性を提供するカチオンであり、好ましいカチオンはナトリウムおよびアンモニウムカチオンであり、ｘは少なくとも７の整数、好ましくは少なくとも９の整数であり；次式を有するＣ１０〜Ｃ１８二級（２，３）アルキル硫酸塩である：
【化１】
2009504871.tif 000002
【００１９】
Ｍは水素または電気的中性を提供するカチオンであり、好適なカチオンとしては、ナトリウムおよびアンモニウムカチオン、ｘは少なくとも７の整数であり、好ましくは少なくとも９の整数であり、ｙは少なくとも８の整数、好ましくは少なくとも９の整数である；Ｃ１０〜Ｃ１８のアルキルアルコキシカルボン酸塩；米国特許６，０２０，３０３号と同６，０６０，４４３号により詳細に記載されているような中鎖分岐状アルキル硫酸塩；ＰＣＴ国際公開特許ＷＯ９９／０５２４３、同９９／０５２４２、同９９／０５２４４、同９９／０５０８２、同９９／０５０８４、同９９／０５２４１、同９９／０７６５６、同００／２３５４９および同００／２３５４８により詳細に記載されているような変性アルキルベンゼンスルホン酸塩（ＭＬＡＳ）；メチルエステルスルホン酸塩（ＭＥＳ）；α−オレフィンスルホン酸塩（ＡＯＳ）およびこれらの混合物が挙げられる。
【００２０】
好ましいアニオン性洗浄界面活性剤は、直鎖または分枝鎖、置換または非置換、Ｃ１２〜１８アルキル硫酸塩；直鎖または分枝鎖、置換または非置換、Ｃ１０〜１８アルキルベンゼンスルホン酸塩、好ましくは直鎖状Ｃ１０〜１３アルキルベンゼンスルホン酸塩；平均アルコキシル化度１〜２０の直鎖または分枝鎖、置換または非置換アルキルアルコキシル化硫酸塩、好ましくは平均エトキシル化度３〜７の直鎖状Ｃ１０〜１８アルキルエトキシ化硫酸塩；およびこれらの混合物から成る群から選択される。非常に好ましいものは、市販のＣ１０〜１３直鎖アルキルベンゼンスルホン酸塩である。非常に好ましいものは、市販の直鎖アルキルベンゼン（ＬＡＢ）をスルホン化することによって得られる直鎖Ｃ１０〜１３アルキルベンゼンスルホン酸塩であり、好適なＬＡＢには、商標名イソケム（Isochem）（登録商標）でサソール（Sasol）により供給されるものまたは商標名ペトレラブ（Petrelab）（登録商標）でペトレサ（Petresa）により供給されるもののような低級２−フェニルＬＡＢが挙げられ、他の好適なＬＡＢには、商標名ハイブレン（Hyblene）（登録商標）でサソールから供給されるもののような高級２−フェニルＬＡＢが挙げられる。
【００２１】
アニオン性洗浄性界面活性剤は、アニオン性洗浄性界面活性剤がよりカルシウム耐性となり、遊離カルシウムイオンの存在下で洗浄溶液から析出し難くなるように、構造的に変性されることが好ましい可能性がある。この構造的修変性は、アニオン性洗浄性界面活性剤の先端基の付近にメチル部分またはエチル部分を導入することであり得るが、先端基の立体障害により、よりカルシウム耐性の高められたアニオン性洗浄性界面活性剤をもたらすことができ、それは該アニオン性洗浄性界面活性剤が、溶液から沈殿を引きおこすような様式で、遊離カルシウムカチオンと錯体を形成する、アニオン性洗浄性界面活性剤の親和性を低減させる可能性があるからである。他の構造的修飾としては、アニオン性洗浄性界面活性剤のアルキル鎖中にアミン部分のような官能性部分を導入することが挙げられる；これは、アニオン性洗浄性界面活性剤のアルキル鎖中の官能基の存在が、洗浄溶液中において遊離カルシウムイオンの存在下で滑らかな結晶構造を形成するというアニオン性洗浄性界面活性剤の望ましくない物理化学的特性を最小限にする可能性があるので、よりカルシウム耐性のアニオン性洗浄性界面活性剤を導くことができる。これは、アニオン性洗浄性界面活性剤が溶液から沈澱する傾向を低減させる可能性がある。
【００２２】
好ましくは組成物は、組成物の０．１重量％〜１０重量％のアルコキシル化アニオン性洗浄界面活性剤を含む。これは、良好な脂汚れ洗浄性能を提供し、良好な発泡特性を与え、洗浄界面活性剤系全体の硬度耐性を高めるアルコキシル化アニオン性洗浄界面活性剤の最適濃度である。組成物が、組成物の３重量％〜５重量％のアルコキシル化アニオン性洗浄界面活性剤を含むことが好ましい可能性があり、または組成物が、組成物の１重量％〜３重量％のアルコキシル化アニオン性洗浄界面活性剤を含むことが好ましい可能性がある。
【００２３】
好ましくは、アルコキシル化アニオン性洗浄性界面活性剤は、平均アルコキシル化度が１〜３０、好ましくは１〜１０の、直鎖または分枝鎖、置換または非置換Ｃ１２〜１８アルキルアルコキシル化硫酸塩である。好ましくは、アルコキシル化アニオン性洗浄性界面活性剤は、平均エトキシル化度が１〜１０の、直鎖または分枝鎖、置換または非置換Ｃ１２〜１８アルキルエトキシル化硫酸塩である。最も好ましくは、アルコキシル化アニオン性洗浄性界面活性剤は、平均エトキシル化度が３〜７の、直鎖状非置換Ｃ１２〜１８アルキルエトキシル化硫酸塩である。
【００２４】
好ましくは、アルコキシル化アニオン性洗浄界面活性剤の少なくとも一部、より好ましくは全てが、押出品、凝集体のような非スプレー乾燥の粉末の形態であり、好ましくは凝集体である。このことは、高濃度のアルコキシル化アニオン性洗浄界面活性剤を組成物中に組み込むのが望ましい場合に、特に好ましい。
【００２５】
アルコキシル化アニオン性洗浄性界面活性剤は、遊離カルシウムカチオンの存在下で非アルコキシル化アニオン性洗浄性界面活性剤が溶液から析出する可能性を低減することによって、当該非アルコキシル化アニオン性洗浄性界面活性剤の活性を高める可能性もある。好ましくは、組成物に存在する非アルコキシル化アニオン性洗浄性界面活性剤のアルコキシル化アニオン性洗浄性界面活性剤に対する重量比は、５：１未満、または３：１未満、または１．７：１未満、あるいは１．５：１未満である。この比は、良好な硬度耐性特性および良好な発泡特性と併せて、最適な白色度の維持性能を与える。しかしながら、非アルコキシル化アニオン性洗浄性界面活性剤のアルコキシル化アニオン性洗浄性界面活性剤に対する重量比は、５：１超過、または６：１超過、または７：１超過、または更に１０：１超過であることが好ましい可能性がある。この比は、良好な硬度耐性特性および良好な発泡特性と併せて、最適な脂汚れ洗浄性能を与える。
【００２６】
好適なアルコキシル化アニオン性洗浄性界面活性剤は、テキサパン（Texapan）ＬＥＳＴ（登録商標）（コグニス社（Cognis））；コスマコール（Cosmacol）ＡＥＳ（登録商標）（サソール社（Sasol））；ＢＥＳ１５１（登録商標）（ステファン社（Stephan））；エムピコール（Empicol）ＥＳＣ７０／Ｕ（登録商標）；およびこれらの混合物である。
【００２７】
組成物は、好ましくは米国特許第６，０２０，３０３号および米国特許第６，０６０，４４３号に記載されたもののような中鎖分枝状アルキル硫酸塩を含んでよい。組成物は、好ましくは米国特許第６，００８，１８１号および米国特許第６，０２０，３０３号に記載されたもののような中鎖分枝状アルキルアルコキシ硫酸塩を含んでよい。組成物は、好ましくはメチルエステルスルホン酸塩（ＭＥＳ）を含んでよい。組成物は、好ましくはα−オレフィンスルホン酸塩（ＡＯＳ）を含んでよい。組成物は、好ましくはＰＣＴ国際公開特許ＷＯ９９／０５２４１、ＰＣＴ国際公開特許ＷＯ９９／０５２４２、ＰＣＴ国際公開特許ＷＯ９９／０５２４３、ＰＣＴ国際公開特許ＷＯ９９／０５２４４、ＰＣＴ国際公開特許ＷＯ９９／０５０８２、ＰＣＴ国際公開特許ＷＯ９９／０５０８４、ＰＣＴ国際公開特許ＷＯ９９／０７６５６、ＰＣＴ国際公開特許ＷＯ００／２３５４８、およびＰＣＴ国際公開特許ＷＯ００／２３５４９に記載されたもののような変性アルキルベンゼンスルホン酸塩（sulphomate）（ＭＬＡＳ）を含んでよい。
【００２８】
カルシウム増大技術
組成物は、カルシウム増大技術を含む。カルシウム増大技術は、典型的に組成物に組み込まれ、その性能が、カルシウムカチオン、特に高濃度のカルシウムカチオンの存在によって増大する成分のような技術である。好ましいカルシウム増大技術は、遷移金属イオン系漂白触媒；オキサジリジニウム（oxaziridinium）形成漂白剤促進化合物を包含するイミン系漂白剤促進化合物のような漂白促進成分；四級ニトリル漂白促進成分；リパーゼおよびグルカナーゼのような酵素から選択される。
【００２９】
漂白促進成分
本発明の一実施形態では、漂白促進成分は、典型的に以下の式に対応する構造を有する：
【化２】
2009504871.tif 000003
【００３０】
Ｒ１は置換または非置換であり得るアリールまたはヘテロアリール基であり；Ｒ２は置換または非置換アルキルであり；Ｒ１およびＲ２はイミニウムと共に結合すると、環を形成し、Ｒ３は、Ｃ１〜Ｃ２０置換アルキルであり；Ｒ４は水素、Ｒ２または、および好ましくは、部分Ｑｔ−Ａであり、Ｑは分枝状または非分枝状アルキレンであり、ｔは０または１であり、Ａは典型的にＯＳＯ３−、ＳＯ３−、ＣＯ２−、ＯＣＯ２−、ＯＰＯ３２−、ＯＰＯ３Ｈ−およびＯＰＯ２−から成る群から選択されるアニオン基である；Ｒ５は、水素、Ｒ２または、および好ましくは、部分−ＣＲ１１Ｒ１２−Ｘ−Ｇｂ−Ｘｃ−［（ＣＲ９Ｒ１０）ｙ−Ｏ］ｋ−Ｒ８であり、各Ｘは、独立してＯ、Ｓ、Ｎ−Ｈ、またはＮ−Ｒ８から成る群から選択され；各Ｒ８は、独立してアルキル、アリール、およびヘテロアリールから成る群から選択され、前記Ｒ８部分は、置換または非置換であり、置換または非置換のいずれであっても前記Ｒ８部分は、２１個未満の炭素を有し；各Ｇは、独立してＣＯ、ＳＯ２、ＳＯ、ＰＯ、およびＰＯ２から成る群から選択され；Ｒ９およびＲ１０は、独立してＨおよびＣ１〜Ｃ４アルキルから成る群から選択され；Ｒ１１およびＲ１２は、独立してＨおよびアルキルから成る群から選択され、または一緒に連結して、カルボニルを形成してもよい；ｂは０または１であり；ｃは０または１であることができるが、ｂが０である場合、ｃは０でなくてはならず；ｙは１〜６の整数であり；ｋは０〜２０の整数である；Ｒ６はＨ、またはアルキル、アリール、またはヘテロアリール部分であり；前記部分は置換または非置換である。
【００３１】
本発明の一実施形態では、漂白促進成分は、典型的に上の式１に対応する構造を有し、：Ｒ１は、置換または非置換であることができるアリールまたはヘテロアリール基であり；Ｒ２は、置換または非置換アルキルであり；Ｒ１およびＲ２はイミニウムとともに結合して、環を形成し；Ｒ３は、Ｃ１〜Ｃ１２置換アルキルであり；Ｒ４は、部分Ｑｔ−Ａであり、ＱはＣ１〜Ｃ３アルキル、ｔは０または１、ＡはＯＳＯ３−、ＳＯ３−、ＣＯ２−、およびＯＣＯ２−から成る群から選択されるアニオン基である；Ｒ５は、部分−ＣＲ１１Ｒ１２−Ｘ−Ｇｂ−Ｘｃ−Ｒ８であり、各Ｘは、独立してＯ、Ｓ、Ｎ−Ｈ、またはＮ−Ｒ８から成る群から選択され；各Ｒ８は、独立してアルキル、アリール、およびヘテロアリールから成る群から選択され、前記Ｒ８部分は、置換または非置換であり、置換または非置換のいずれであっても、前記Ｒ８部分は、２１個未満の炭素を有し；各Ｇは、独立してＣＯ、ＳＯ２、ＳＯ、ＰＯ、およびＰＯ２から成る群から選択され；Ｒ１１およびＲ１２は、独立してＨおよびアルキルから成る群から選択され；ｂは０または１であり；ｃは０または１であることができるが、ｂが１である場合、ｃは０でなくてはならない；Ｒ６は、Ｈ、またはアルキル、アリール、またはヘテロアリール部分であり；前記部分は置換または非置換である。
【００３２】
本発明の一実施形態では、漂白促進成分は、典型的に上の式１に対応する構造を有し、：Ｒ１は、置換または非置換であることができるアリールまたはヘテロアリール基であり；Ｒ２は、置換または非置換アルキルであり；Ｒ１およびＲ２はイミニウムとともに結合して、６員環を形成し；Ｒ３は、置換Ｃ２アルキルであり；Ｒ４は、ＯＳＯ３−であり；Ｒ５は、部分−ＣＨ２−Ｏ−Ｒ８であり、Ｒ８は独立してアルキル、アリール、およびヘテロアリールから成る群から選択され、前記Ｒ８部分は、置換または非置換であり、置換または非置換のいずれであっても、前記Ｒ８部分は、２１個未満の炭素を有する；Ｒ６は、Ｈ、またはアルキル、アリール、またはヘテロアリール部分であり；前記部分は置換または非置換である。
【００３３】
本発明の別の実施形態では、漂白促進成分は、典型的に以下の式２に対応する構造を有する：
【化３】
2009504871.tif 000004
：Ｒ１は、置換または非置換であることができるアリールまたはヘテロアリール基であり；Ｒ２は、置換または非置換アルキルであり；Ｒ１およびＲ２は、オキサジリジニウム（oxaziridinium）の炭素および窒素とともに結合して環を形成し；Ｒ３はＣ１〜Ｃ２０置換アルキルであり；Ｒ４は、水素、Ｒ２または、および好ましくは、部分Ｑｔ−Ａであり、Ｑは分枝状または非分岐状アルキレンであり、ｔは０または１であり、ＡはＯＳＯ３−、ＳＯ３−、ＣＯ２−、ＯＣＯ２−、ＯＰＯ３２−、ＯＰＯ３Ｈ−、およびＯＰＯ２−から成る群から選択されるアニオン基である；Ｒ５は、水素、Ｒ２または、および好ましくは、部分−ＣＲ１１Ｒ１２−Ｘ−Ｇｂ−Ｘｃ−［（ＣＲ９Ｒ１０）ｙ−Ｏ］ｋ−Ｒ８であり、各Ｘは、独立してＯ、Ｓ、Ｎ−Ｈ、またはＮ−Ｒ８から成る群から選択され；各Ｒ８は、独立してアルキル、アリール、およびヘテロアリールから成る群から選択され、前記Ｒ８部分は、置換または非置換であり、置換または非置換のいずれであっても前記Ｒ８部分は、２１個未満の炭素を有し；各Ｇは、独立してＣＯ、ＳＯ２、ＳＯ、ＰＯ、およびＰＯ２から成る群から選択され；Ｒ９およびＲ１０は、独立してＨおよびＣ１−Ｃ４アルキルから成る群から選択され；Ｒ１１およびＲ１２は、独立してＨおよびアルキルから成る群から選択され、またはともに結合して、カルボニルを形成してよく；ｂは０または１であり；ｃは０または１であることができるが、ｂが０である場合、ｃは０でなくてはならず；ｙは１〜６の整数であり；ｋは０〜２０の整数である；Ｒ６は、Ｈ、またはアルキル、アリール、またはヘテロアリール部分であり；前記部分は、置換または非置換である。
【００３４】
本発明の一実施形態では、漂白促進成分は、典型的に上の式２に対応する構造を有し、：Ｒ１は、置換または非置換であることができるアリールまたはヘテロアリール基であり；Ｒ２は、置換または非置換アルキルであり；Ｒ１およびＲ２はオキサジリジニウム（oxaziridinium）の炭素および窒素とともに結合して環を形成し；Ｒ３は、Ｃ１〜Ｃ１２置換アルキルであり；Ｒ４は、部分Ｑｔ−Ａであり、ＱはＣ１〜Ｃ３アルキルであり；ｔは０または１であり、ＡはＯＳＯ３−、ＳＯ３−、ＣＯ２−、およびＯＣＯ２−から成る群から選択されるアニオン基である；Ｒ５は、部分−ＣＲ１１Ｒ１２−Ｘ−Ｇｂ−Ｘｃ−Ｒ８であり、各Ｘは、独立してＯ、Ｓ、Ｎ−Ｈ、またはＮ−Ｒ８から成る群から選択され；各Ｒ８は、独立してアルキル、アリール、およびヘテロアリールから成る群から選択され、前記Ｒ８部分は、置換または非置換であり、置換または非置換のいずれであっても、前記Ｒ８部分は、２１個未満の炭素を有し；各Ｇは、独立して、ＣＯ、ＳＯ２、ＳＯ、ＰＯ、およびＰＯ２から成る群から選択され；Ｒ１１およびＲ１２は、独立してＨおよびアルキルから成る群から選択され；ｂは０または１であり；ｃは０または１であることができるが、ｂが１である場合、ｃは０でなくてはならない；Ｒ６は、Ｈ、またはアルキル、アリール、またはヘテロアリール部分であり；前記部分は、置換または非置換である。
【００３５】
本発明の一実施形態では、漂白促進成分は、典型的に上の式２に対応する構造を有し、：Ｒ１は、置換または非置換であることができるアリールまたはヘテロアリール基であり；Ｒ２は、置換または非置換アルキルであり；Ｒ１およびＲ２はオキサジリジニウム（oxaziridinium）の炭素および窒素とともに結合して、６員環を形成し；Ｒ３は、置換Ｃ２アルキルであり；Ｒ４は、ＯＳＯ３−であり；Ｒ５は、部分−ＣＨ２−Ｏ−Ｒ８であり、Ｒ８は、独立してアルキル、アリール、およびヘテロアリールから成る群から選択され、前記Ｒ８部分は、置換または非置換であり、置換または非置換のいずれであっても、前記Ｒ８部分は、２１個未満の炭素を有する；Ｒ６は、Ｈ、またはアルキル、アリール、またはヘテロアリール部分であり；前記部分は、置換または非置換である。
【００３６】
遷移金属イオン系漂白触媒
組成物は、遷移金属イオン系漂白触媒を含んでよい。好適な遷移金属イオンとしては、銅、鉄、チタン、ルテニウム、タングステン、モリブデン、またはマンガンのカチオンが挙げられる。遷移金属イオン系漂白触媒は、米国特許第５，５７６，２８２号（ミラクル（Miracle）ら）に開示されたもののようなマンガン系漂白触媒であってよい。これらの漂白触媒の好ましい例としては、ＭｎＩＶ２（ｕ−Ｏ）３（１，４，７−トリメチル−１，４，７−トリアザシクロノナン）２（ＰＦ６）２、ＭｎＩＩＩ２（ｕ−Ｏ）１（ｕ−ＯＡｃ）２（１，４，７−トリメチル−１，４，７−トリアザシクロノナン）２（ＣｌＯ４）２、ＭｎＩＶ４（ｕ−Ｏ）６（１，４，７−トリアザシクロノナン）４（ＣｌＯ４）４、ＭｎＩＩＩＭｎＩＶ４（ｕ−Ｏ）１（ｕ−ＯＡｃ）２−（１，４，７−トリメチル−１，４，７−トリアザシクロノナン）２（ＣｌＯ４）３、ＭｎＩＶ（１，４，７−トリメチル−１，４，７−トリアザシクロノナン）−（ＯＣＨ３）３（ＰＦ６）、およびこれらの混合物が挙げられる。
【００３７】
遷移金属イオン系漂白触媒は、米国特許第５，５９７，９３６号（パーキンス（Perkins）ら）および米国特許第５，５９５，９６７号（ミラクル（Miracle）ら）に記載されたもののようなコバルト系漂白触媒であってよい。最も好ましいコバルト系漂白触媒としては、式［Ｃｏ（ＮＨ３）５ＯＡｃ］Ｔｙを有するコバルトペンタアミン酢酸塩が挙げられ、「ＯＡｃ」はアセテート部分を表し、「Ｔｙ」はアニオンであり）特にコバルトペンタアミンアセテートクロライド、［Ｃｏ（ＮＨ３）５ＯＡｃ］Ｃｌ２；並びに［Ｃｏ（ＮＨ３）５ＯＡｃ］（ＯＡｃ）２；［Ｃｏ（ＮＨ３）５ＯＡｃ］（ＰＦ６）２；［Ｃｏ（ＮＨ３）５ＯＡｃ］（ＳＯ４）；［Ｃｏ（ＮＨ３）５ＯＡｃ］（ＢＦ４）２；および［Ｃｏ（ＮＨ３）５ＯＡｃ］（ＮＯ３）２（本明細書では「ＰＡＣ」）が挙げられる。こうしたコバルト系漂白触媒は、例えば米国特許第５，５９７，９３６号、および米国特許第５，５９５，９６７号に教示されるような既知の手順により、容易に調製される。
【００３８】
また遷移金属イオン系漂白触媒は、マクロ多環式剛性配位子―「ＭＲＬ」と省略される―を含んでもよい。実際問題として、限定するためではないが、本明細書の組成物および洗浄工程は、洗浄溶液において、少なくとも１億分の１のオーダーのＭＲＬを提供するように調整することができ、好ましくは、約０．００５ｐｐｍ〜約２５ｐｐｍ、より好ましくは約０．０５ｐｐｍ〜約１０ｐｐｍ、最も好ましくは約０．１ｐｐｍ〜約５ｐｐｍのＭＲＬを洗浄溶液中に提供する。これらの漂白触媒としては、マンガン、鉄、およびクロム系漂白触媒が挙げられる。
【００３９】
好ましいＭＲＬは、以下に示す配位子のような架橋する超剛性配位子の種類である：
【化４】
2009504871.tif 000005
【００４０】
各Ｒ８がエチルである場合、この配位子は、５，１２−ジエチル−１，５，８，１２−テトラアザビシクロ［６．６．２］ヘキサデカンと命名される。
【００４１】
他の好適なＭＲＬとしては、ジクロロ−５，１２−ジエチル−１，５，８，１２−テトラアザビシクロ［６．６．２］ヘキサデカンマンガン（ｉｉ）；ジアクオ−５，１２−ジエチル−１，５，８，１２−テトラアザビシクロ［６．６．２］ヘキサデカンマンガン（ｉｉ）；ヘキサフルオロホスフェート；アクオ−ヒドロキシ−５，１２−ジエチル−１，５，８，１２−テトラアザビシクロ［６．６．２］ヘキサデカンマンガン（ｉｉｉ）；ヘキサフルオロホスフェートジアクオ−５，１２−ジエチル−１，５，８，１２−テトラアザビシクロ［６．６．２］ヘキサデカンマンガン（ｉｉ）；テトラフルオロボレートジクロロ−５，１２−ジエチル−１，５，８，１２−テトラアザビシクロ［６．６．２］ヘキサデカンマンガン（ｉｉｉ）；ヘキサフルオロホスフェート；ジクロロ−５，１２−ジ−ｎ−ブチル−１，５，８，１２−テトラアザビシクロ［６．６．２］ヘキサデカンマンガン（ｉｉ）；ジクロロ−５，１２−ジベンジル−１，５，８，１２−テトラアザビシクロ［６．６．２］ヘキサデカンマンガン（ｉｉ）；ジクロロ−５−ｎ−ブチル−１２−メチル−１，５，８，１２−テトラアザ−ビシクロ［６．６．２］ヘキサデカンマンガン（ｉｉ）；ジクロロ−５−ｎ−オクチル−１２−メチル−１，５，８，１２−テトラアザ−ビシクロ［６．６．２］ヘキサデカンマンガン（ｉｉ）；ジクロロ−５−ｎ−ブチル−１２−メチル−１，５，８，１２−テトラアザ−ビシクロ［６．６．２］ヘキサデカンマンガン（ｉｉ）が挙げられる。
【００４２】
好適な遷移金属ＭＲＬは、ＰＣＴ国際公開特許ＷＯ００／３３２６０１および米国特許第６，２２５，４６４号で教示されているような既知の手順によって容易に調製される。
【００４３】
高エトキシ化非イオン性界面活性剤  
組成物は、高エトキシ化非イオン性界面活性剤を含んでもよく、好ましくは組成物の１重量％〜２０重量％、または２重量％〜６重量％、または３重量％〜５重量％の高エトキシ化非イオン性界面活性剤を含んでもよい。好ましい高エトキシ化非イオン性界面活性剤は、１３〜２５、好ましくは１５〜２２、より好ましくは１６〜２２、ＩＯ最も好ましくは１４〜１９．５の親水性／親油性バランス（ＨＬＢ）値を有する。ＨＬＢ値は、グリフィン（Griffin）、化粧品化学者協会ジャーナル（J. Soc. Cosmetic Chemists）、５（１９５４）２４９〜２５６に与えられた方法に従って計算できる。
【００４４】
好ましい実施形態においては、アニオン性洗浄界面活性剤と高エトキシ化非イオン性界面活性剤の重量比は、０．２５：１〜４０：１、好ましくは１：１〜１５：１、または１：１〜１０：１、より好ましくは２：１〜６：１、最も好ましくは２．５：１〜５：１の範囲内である。好適な高エトキシ化非イオン性界面活性剤の例としては、脂肪族Ｃ８〜２０、好ましくはＣ１０〜１６一級または二級直鎖または分枝鎖アルコールまたはフェノールと、アルキレンオキシド、好ましくはエチレンオキシドまたはプロピレンオキシド、最も好ましくはエチレンオキシドとの縮合生成物であり、一般に１５〜８０、好ましくは１６〜８０、より好ましくは２０以下または２０〜８０、最も好ましくは２０〜５０のアルキレンオキシド基を有し；典型的に、アルキレンオキシド基は親水性の反復単位である。
【００４５】
本発明の特に好ましい実施形態によれば、非イオン性界面活性剤は、以下の式のエトキシ化脂肪族アルコールである：
Ｒ−（−Ｏ−ＣＨ２−ＣＨ２）ｎ−ＯＨ
：Ｒは８〜１６個の炭素原子を有するヒドロカルビル鎖であり、平均エトキシル化度ｎは、１５〜５０、好ましくは２０〜５０である。ヒドロカルビル鎖は、好ましくは飽和であり、好ましくは１０〜１６個の炭素原子、より好ましくは１２〜１５個の炭素原子を含有する。鎖長の散らばりを含有する市販の材料において、これらの数字は平均を表す。ヒドロカルビル鎖は、直鎖または分枝鎖であってよい。アルコールは、天然または合成原料に由来してよい。好ましいアルコール原料は、ココナツ、主にＣ１２〜１４、およびオキソＣ１２アルコールである。平均エトキシル化度は、１５〜５０、好ましくは１６〜５０、より好ましくは２０〜５０、最も好ましくは２５〜４０の範囲である。好ましい材料は、平均アルキル鎖長Ｃ１２〜１６、平均エトキシル化度１５〜５０、より好ましくは２５〜４０を有する。好適な市販材料の例は、平均エトキシル化度３０のＣ１３〜１５アルコールであるルテンゾール（Lutensol）ＡＯ３０（ＢＡＳＦから）である。好適な市販材料の別の例は、非イオン性エトキシ化アルコール２０ＥＯゲナポール（Genapol）Ｃ２００（クラリアント（Clariant）から）、同様に非イオン性エトキシ化アルコール２０ＥＯルテンゾール（Lutensol）Ｔ０２０（ＢＡＳＦから）である。
【００４６】
ポリアミドアミン
組成物は、組成物の０．０１重量％〜２０重量％、好ましくは０．０１重量％〜１０重量％、より好ましくは０．０１重量％〜８重量％のポリアミドアミン、好ましくは変性ポリアミノアミドを含んでよい。
【００４７】
好適な変性ポリアミノアミドは、そのアルコキシル化度に依存して、１．６６Ｅ−２１ｇ（１，０００Ｄａ）〜１．６６Ｅ−１８ｇ（１，０００，０００Ｄａ）、好ましくは３．３２Ｅ−２１ｇ（２，０００Ｄａ）〜１．６６Ｅ−１８ｇ（１，０００，０００Ｄａ）、より好ましくは３．３２Ｅ−２１ｇ（２，０００Ｄａ）〜８．３０Ｅ−２０ｇ（５０，０００Ｄａ）の数平均分子量を有する。
【００４８】
一般に、ポリアミノアミドは、その主鎖にアミン官能基（＊−ＮＨ−＊）およびアミド官能基（＊−ＮＨ−Ｃ（Ｏ）−＊）の両方を包含するポリマーで、星印はポリマー主鎖を示す。典型的に、ポリアミノアミドは、ポリマー鎖の末端に一級アミノ基（−ＮＨ２）および／またはカルボキシ基（−ＣＯＯＨ）をも含有する。本明細書で使用するとき、用語「アミノ」は、ポリマー主鎖の二級アミン官能基およびポリマー鎖末端の一級アミン官能基の両方を含む。一般に、ポリアミノアミドは直鎖状である。
【００４９】
好適な変性ポリアミノアミドは、以下の式３に対応する構造を有する：
【化５】
2009504871.tif 000006
：ｎは１〜５００、好ましくは１〜１００、より好ましくは１〜２０、より好ましくは１〜１０、最も好ましくは１、２または３の整数であり；Ｒ３は、Ｃ２〜Ｃ８アルカンジイル、好ましくはＣ２〜Ｃ８アルカンジイル、より好ましくは１，２−エタンジイルまたは１，３−プロパンジイルから選択され；Ｒ４は、化学結合、Ｃ１〜Ｃ２０−アルカンジイル、酸素、イオウ、および窒素（イミノ）から成る群から選択されるへテロ原子１〜６個を含むＣ１〜Ｃ２０−アルカンジイル、酸素、イオウ、および窒素（イミノ）から成る群から選択されるへテロ原子１〜６個を含み、更に１以上のヒドロキシル基を含むＣ１〜Ｃ２０−アルカンジイル、置換または非置換二価の芳香族ラジカル、並びにこれらの混合物から選択される。酸素、イオウ、および窒素（イミノ）から成る群から選択される１〜６個のへテロ原子を含むＣ１〜Ｃ２０アルカンジイルは、１個または２個の炭素−炭素二重結合を包含してよい。酸素、イオウ、および窒素（イミノ）から成る群から選択される１〜６個のへテロ原子を含むＣ１〜Ｃ２０アルカンジイルは、完全にまたは部分的に、１以上の飽和または不飽和炭素環式５〜８員環の構成要素であってよい。好ましいＲ４は、Ｃ２〜Ｃ６アルカンジイルである。
【００５０】
好ましい実施形態では、洗剤組成物は、以下の式に対応する構造を有する変性ポリアミノアミドを含む：
【化６】
2009504871.tif 000007
：ｘは１０〜２００、好ましくは約１５〜約１５０、最も好ましくは約２１〜約１０ｋ０であり；ＥＯはエトキシ部分を表す。
【００５１】
四級ニトリル漂白促進成分
組成物は、以下の式に対応する構造を有するニトリル漂白剤促進化合物のような四級ニトリル漂白促進成分を含んでよい：
（Ｒ１）（Ｒ２）（Ｒ３）Ｎ＋−（ＣＲ４Ｒ５）−ＣＮ  Ｘ−
：Ｒ１は、Ｈ、ＣＨ３、Ｃ２〜２４−アルキルまたはアルケニルラジカル、Ｃｌ、Ｂｒ、ＯＨ、ＮＨ２、ＣＮから成る群からの少なくとも１つの置換基を有する置換Ｃ２〜２４−アルキルまたは−アルケニルラジカル、Ｃ１〜２４−アルキル基を有するアルキルラジカルまたはアルケニルアリールラジカル、あるいはＣ１〜２４−アルキル基および芳香環上に少なくとも１つの更なる置換基を有する置換アルキルまたはアルケニルアリールラジカルであり；Ｒ２およびＲ３は、互いに独立して、−ＣＨ２−ＣＮ、−ＣＨ３、−ＣＨ２−ＣＨ３、−ＣＨ２−ＣＨ２−ＣＨ３、−ＣＨ（ＣＨ３）−ＣＨ３、−ＣＨ２−ＯＨ、−ＣＨ２−ＣＨ２−ＯＨ、−ＣＨ（ＯＨ）−ＣＨ３、−ＣＨ２−ＣＨ２−ＣＨ２−ＯＨ、−ＣＨ２−ＣＨ（ＯＨ）−ＣＨ３、−ＣＨ（ＯＨ）−ＣＨ２−ＣＨ３、−（ＣＨ２−ＣＨ２−Ｏ）ｎＨから選択され、ｎ＝１、２、３、４、５または６である；Ｒ４およびＲ５は、互いに独立して、Ｒ１、Ｒ２またはＲ３について上で指定された意味を有し；Ｘ−は、単独でまたは任意の混合物で、塩化物、フッ化物、ヨウ化物、および臭化物を包含するハロゲン化物、硝酸塩、水酸化物、リン酸塩、水素リン酸塩、二水素リン酸塩、ピロリン酸塩、メタリン酸塩、ヘキサフルオロリン酸塩、炭酸塩、炭酸水素塩、硫酸塩、硫酸水素塩、Ｃ１〜２０−アルキル硫酸塩、Ｃ１〜２０−アルキルスルホン酸塩、非置換またはＣ１〜１８アルキル置換アリールスルホン酸塩、塩素酸塩、過塩素酸塩のような任意の好適な対イオン、並びに／若しくはギ酸塩、酢酸塩、ラウリン酸塩、安息香酸塩、またはクエン酸塩のようなＣ１〜２４−カルボン酸のアニオンである。
【００５２】
好ましい化合物は、上式に従うものであり、Ｒ１、Ｒ２、およびＲ３は、同一であり、好ましくはＲ１、Ｒ２、およびＲ３はメチル基である。他の好ましい化合物は、上式に従うものであり、Ｒ１、Ｒ２、およびＲ３の少なくとも１つまたは２つがメチル基であり、他はＣ２〜２４アルキル基である。
【００５３】
バーク石
組成物は、バーク石、またはいくつかの他の好適な担体物質を含んでよい。好適なおよび好ましい担体物質は、結晶成長変性セスキ炭酸ナトリウム（Ｎａ２ＣＯ３．ＮａＨＣＯ３．２Ｈ２Ｏ）、炭酸ナトリウム（Ｎａ２ＣＯ３．Ｈ２Ｏ）、炭酸ナトリウム／硫酸ナトリウム複塩（Ｎａ２ＣＯ３．（Ｎａ２ＳＯ４）２バーク石）およびこれらの混合物である。こうした担体物質は、塩と結晶成長変性剤の溶液またはスラリーを調製し、その後、スプレー乾燥のような当該技術分野において既知の任意の好適な手段によりこうした溶液またはスラリーを乾燥させることによって調製されてよい。好適な結晶成長変性剤は、ポリカルボン酸塩化合物である。これらは、ＥＤＴＡ、ＮＴＡ、およびクエン酸塩のようなモノマーのポリカルボン酸の塩であってよい。しかし、好ましい結晶成長変性剤は、アクリル酸および／またはマレイン酸のホモポリマーおよびコポリマーのようなポリマーのポリカルボン酸塩である。結晶成長変性炭酸ナトリウム、バーク石およびこれらの混合物、並びにこれらの調製は、ＥＰ０２２１７７６Ａ２に十分記載されている。結晶成長変性剤およびここに記載された手順は、セスキ炭酸ナトリウムの調製にも適用できる。好ましい担体物質は、結晶変性バーク石、および結晶変性バーク石と結晶変性炭酸ナトリウムとの混合物である。硫酸ナトリウム、並びに炭酸ナトリウムおよび結晶成長変性剤を含むスラリーまたは溶液は、乾燥の際、炭酸塩と硫酸塩との重量比が０．３７：１である結晶変性バーク石の形態で、可能な限り結晶すると考えられる。任意の過剰な硫酸塩は、硫酸塩として結晶するであろう；任意の過剰な炭酸塩は、結晶変性炭酸塩として結晶化するであろう。結晶塊において十分な多孔性を得るためには、炭酸ナトリウムおよび硫酸ナトリウムのスラリーまたは溶液は、炭酸塩と硫酸塩との重量比が少なくとも０．０３：１、好ましくは少なくとも０．１：１、最も好ましくは０．３：１〜０．４５：１であるべきである。組成物は、組成物の０．１重量％〜２０重量％、または０．２重量％〜１０重量％のポリマーのカルボン酸塩を含んでよい。組成物は、組成物の０．２重量％〜１０重量％のセスキ炭酸塩、炭酸塩および／または硫酸塩を含んでよい。
【００５４】
グルカナーゼ
組成物は、エンド−１，３−１，４−β−Ｄ−グルカン−４−グルカノヒドロラーゼ（ＥＣ３．２．１．７３；リチナーゼ）の部類からの酵素であるβ−グルカナーゼのようなグルカナーゼを含んでよい。本発明に関するβ−グルカナーゼは、同様にエンド−１，３−β−Ｄ−グルコシダーゼ（ＥＣ３．２．１．３９；ラミナリナーゼ）を包含する。好適なβ−グルカナーゼは、微生物、例えばアクロモバクター・ルナータス（Achromobacter lunatus）、アスロバクター・ルテウス（Athrobacter luteus）、アスペルギルス・アクレアタス（Aspergillus aculeatus）、アスペルギルス・ニガー（Aspergillus niger）、バチルス・ズブチルス（Bacillus subtilis）、ディスポロトリチュム・ジモルフォスポラム（Disporotrichum dimorphosporum）、フミコラ・インソレンス（Humicola insolens）、ペニシリウム・エマゾーニ（Penicillium emersonii）、ペニシリウム・フニクロサム（Penicillium funiculosum）またはトリコデルマ・リーゼイ（Trichoderna reesei）から得られる。市販品は、例えば、セレフロ（Cereflo）（登録商標）（製造業者：ノボノルディスク（Novo Nordisk）Ａ／Ｓ）の名称で販売されている。好ましいβ−グルカナーゼとしては、ドイツ特許出願ＤＥ１９７３２７５１に付されるバチルスアルカロフィラス（Bacillus alkalophilus）（ＤＳＭ９９５６）から得られる酵素が挙げられる。
【００５５】
β−グルカナーゼは、組成物が、好ましくは０．０５Ｕ／ｇ〜１．００Ｕ／ｇの範囲、より好ましくは０．０６Ｕ／ｇ〜０．２５Ｕ／ｇの範囲のグルカノリチック（glucanolytic）活性を有するような量で、組成物に組み込まれる。グルカノリチック（glucanolytic）活性の決定は、Ｍ．リーバー（Lever）、生化学分析（Anal. Biochem.）の４７ （１９７２）、２７３〜２７９、および生化学分析（Anal. Biochem.）、８１（１９７７）、２１〜２７に記載されるプロセスの変更に基づく。５０ｍＭグリシン緩衝剤（ｐＨ９．０）中のβ−グルカン（シグマＮｏ．Ｇ６５１３）の０．５重量％溶液が、この目的のために使用される。この溶液２５０μＬを、グルカノリチック（glucanolytic）活性を試験すべき剤を含有する２５０μＬ溶液に添加し、４０℃で３０分間インキュベートする。次に、１ｍＭ硝酸ビスマスおよび１ｍＭ酒石酸カリウムナトリウムを含有する０．５Ｍ  ＮａＯＨ中の、ｐ−ヒドロキシ安息香酸ヒドラジド（ＰＡＨＢＡＨ）の１重量％溶液１．５ｍＬを添加し、その後、溶液を７０℃で１０分間加熱する。冷却後（２分／０℃）、４１０ｎｍにおける吸収は、グルコース検量線を使用して、（例えば、ウビコン（Uvikon）（登録商標）９３０光度計にて）、室温において、ブランク値に対して決定される。ブランク値は、ＰＡＨＢＡＨ溶液の後にグルカン溶液を添加すること以外は、測定溶液と同様に調製される溶液である。１．００Ｕは、これらの条件下で１分当たりグルコース１μモルを生じる酵素の量に一致する。
【００５６】
洗浄溶液中のグルカノリチック（glucanolytic）活性は、水性洗浄溶液中０．２Ｕ／Ｌ〜４Ｕ／Ｌ、より具体的には、０．２５Ｕ／Ｌ〜１Ｕ／Ｌであることが好ましい。機械洗浄プロセスにおいて、例えば家庭の洗濯物を洗濯機で日常的に洗う際に、記載の範囲のグルカノリチック（glucanolytic）活性が、少なくとも短時間、例えば約５〜２０分間有効であることが保証されるならば、言及されたグルカノリチック活性は、要求される洗浄結果を得るために洗浄サイクル全体において維持される必要はない。
【００５７】
β−グルカナーゼは、特に、例えば、他の酵素について欧州特許ＥＰ０５６４４７６またはＰＣＴ国際公開特許ＷＯ９４／２３００５に記載されるような粒子状洗剤に使用される場合、早期の不活性化から保護するために、支持体上へ吸収されてよく、および／またシェル形成材料内にカプセル封入されてよい。
【００５８】
リパーゼ
組成物は、好ましくはリポラーゼ（Lipolase）、リポラーゼウルトラ（Lipolase ultra）、１０リポプライム（LipoPrime）、リポマックス（Lipomax）、リポサム（Liposam）、リペックス（Lipex）、およびリゾムコール・ミーヘイ（Rhizomucor miehei）からのリパーゼ（例えば、ＥＰ−Ａ−２３８０２３（ノボノルディスク（Novo Nordisk））に記載されている）から成る群から選択されるリパーゼを含んでよい。
【００５９】
組成物は、組成物が１０〜２０，０００ＬＵ／ｇ、好ましくは５０〜２，０００ＬＵ／ｇの範囲のリパーゼ活性を有するような量で、リパーゼを含んでよい。ＬＵ（リパーゼ単位）は、典型的にＥＰ−Ａ−２５８０６８（ノボノルディスク（Novo Nordisk））で定義される。リパーゼは、フミコラ・ラヌギノサ（Humicola lanuginosa）およびリゾムコール・ミーヘイ（Rhizomucor miehei）からのもののような真菌性リパーゼであることができる。特に好適なリパーゼは、ＥＰ−Ａ−３０５２１６（ノボノルディスク（Novo Nordisk））に記載されており、リポラーゼ（ＴＭ）として市販されているフミコラ・ラヌギノサ（Humicola lanuginosa）菌株ＳＭ４１０９からのものである。同様に好適なリパーゼは、ＰＣＴ国際公開特許ＷＯ−Ａ−９２／０５２４９、ＰＣＴ国際公開特許ＷＯ−Ａ−９４／２５５７７、ＰＣＴ国際公開特許ＷＯ−Ａ−９５／２２６１５、ＰＣＴ国際公開特許ＷＯ−Ａ−９７／０４０７９、ＰＣＴ国際公開特許ＷＯ−Ａ−９７／０７２０２、ＰＣＴ国際公開特許ＷＯ−Ａ−９９／４２５６６、ＰＣＴ国際公開特許ＷＯ−Ａ−００／６００６３により詳細に記載されている。特に好ましいリパーゼは、ノボザイム（Novozymes）からリポラーゼウルトラ（Lipolase ultra）として市販されているリパーゼ変異型Ｄ９６Ｌ、ノボザイム（Novozymes）から商標名リポプライム（LipoPrime）として販売されているリパーゼ変異型、およびノボザイム（Novozymes）から商標名リペックス（Lipex）として販売されているリパーゼ変異型である。リペックス（Lipex）は、ＰＣＴ国際公開特許ＷＯ−Ａ−００／６００６３により詳細に記載されている。リペックス（Lipex）は、以下のアミノ酸配列を有するポリペプチドであるリパーゼである：（ａ）フミコラ・ラヌギノサ（Humicola Ianuginosa）菌株ＤＳＭ４１０９由来の野生型リパーゼに少なくとも９０％の同一性を有する；（ｂ）前記野生型リパーゼと比較して、正に荷電したアミノ酸を有するＥ１またはＱ２４９の１５Ａ゜内の三次元構造体の表面に電気的に中性または負に荷電したアミノ酸との置換を含む；（ｃ）Ｃ末端においてペプチド添加を含む；並びに／若しくは
（ｄ）以下の限定に適合する：（ｉ）前記野生型リパーゼのＥ２１０の位置に負のアミノ酸を含む；（ｉｉ）前記野生型リパーゼの９−１０１の位置に対応する領域に、負に荷電したアミノ酸を含む；および（ｉｉｉ）前記野生型リパーゼのＮ９４に対応する位置に中性または負のアミノ酸を含む、および／または前記野生型リパーゼの９０−１０１の位置に対応する領域に負のまたは中性の純電荷を有する。リペックス（Lipex）（正確なリパーゼ変異型は、突然変異Ｔ２３１ＲおよびＮ２３３Ｒを有するリポラーゼである）は、最初の洗濯において、より良い性能（より良い染み除去）を示し、漂白触媒と組み合わせるとき、特に有益な相乗効果を示す。
【００６０】
ポリビニルピロリドン
組成物は、好ましくは１，０００〜２００，０００ｇ／ｍｏｌの範囲、より具体的には１，０００〜１００，０００ｇ／ｍｏｌの範囲の分子量を有するポリビニルピロリドンを含んでよい。好適なポリビニルピロリドンは、典型的に水溶性であり、典型的に置換または非置換ビニルピロリドンモノマーの重合により形成される。これらは、ホモポリマーおよびモノマーの少なくとも１つがビニルピロリドンであり、コポリマーのビニルピロリドン含量が少なくとも５０モル％であるいずれのコポリマーであってもよく；好適なコモノマーとしては、例えば、アクリロニトリルまたは無水マレイン酸が挙げられる。
【００６１】
カルボキシメチルセルロース
組成物は、カルボキシメチルセルロースを含んでよい。組成物は、メチルセルロースおよび典型的に非イオン性セルロースエーテルを基準にして１５重量％〜３０重量％のメトキシ基および１重量％〜１５重量％のヒドロキシプロポキシ基を含むメチルヒドロキシプロピルセルロースを包含する非イオン性セルロースエーテルのような他のセルロース系成分、並びにフタル酸および／またはテレフタル酸のポリマーあるいはその誘導体、より具体的にはエチレンテレフタレートおよび／またはポリエチレングリコールテレフタレートのポリマーあるいはそのアニオンおよび／または非イオン変性誘導体を含んでよい。これらの中でも、フタル酸およびテレフタル酸ポリマーのスルホン化誘導体が特に好ましい。
【００６２】
蛍光漂白剤
組成物は蛍光漂白剤を含んでよい。蛍光漂白剤は、典型的に約０．０５重量％〜約１．２重量％の量で洗剤組成物に組み込まれることができる。好適であり得る市販の蛍光漂白剤は、サブグループに分類することができ、スチルベン、ピラゾリン、コーナリン（cournarin）、カルボン酸、メチンシアニン、ジベンゾチオフェン（dibenzothiphene）−５，５−二酸化物、アゾール、および５および６員環複素環の誘導体が挙げられるが、これらに必ずしも限定されない。
【００６３】
好適な蛍光漂白剤としては、ジアミノスチルベンジスルホン酸またはそのアルカリ金属塩、好ましくは４，４−ビス−（２−アニリノ−４−モルホリノ−１，３，５−トリアジニル−６−アミノ）−スチルベン−２，２−ジスルホン酸の塩、あるいはモルホリノ基の代わりにジエタノールアミノ基、メチルアミノ基、およびアニリノ基または２−メトキシエチルアミノ基を含有する同様な構造の化合物が挙げられる。置換ジフェニルスチリル型の蛍光漂白剤、例えば、４，４−ビス−（２−スルホスチリル）−ジフェニル、４，４−ビス−（４−クロロ−３−スルホスチリル）−ジフェニルまたは４−（４−クロロスチリル）−４−（２−スルホスチリル）−ジフェニルのアルカリ金属塩も同様に好ましい可能性がある。上記の蛍光漂白剤の混合物もまた使用してよい。
【００６４】
硫酸マグネシウム
組成物は、硫酸マグネシウムを含んでよい。組成物は、十分に水和したときに、その重量の少なくとも２５％が水であり、２５℃における平衡相対湿度が６０％未満であるように水を吸収できる、任意の脱水剤を含んでよい。このように、水分がすぐに蒸発せず、粉末流動問題を引き起こさないように、水分を「閉じ込め（locked away）」ずに、著しい量の水分を吸収できる。また、硫酸マグネシウムのような脱水剤は、水分損失に関して５０℃まで安定であることが非常に好ましい。これは、吸収された水が５０℃まで安定な状態で残存することを意味する。
【００６５】
好適な脱水剤は、好ましくは硫酸マグネシウム、ピロリン酸ナトリウム、酢酸ナトリウムおよびこれらの混合物から成る群から選択される。これらの中で、そのより高い有効性に起因して、硫酸マグネシウムが好ましい。
【００６６】
泡立ち系
組成物は、泡立ち系、典型的に水との接触時に気体を解放することができる任意の泡立ち系を含んでよい。好ましい泡立ち系は、炭酸ナトリウムおよび／または重炭酸ナトリウムのような炭酸塩の供給源を、クエン酸、スルファミン酸、マレイン酸、アクリル酸、またはこれらのポリマーのような酸の供給源と組み合わせて含む。炭酸塩の供給源および酸の供給源は、共粒子混合物の形態で組成物に存在してよく、典型的に組成物に同じ粒子で存在してよく、あるいはこれらは、互いに別個の粒子混合物で存在してよい。
【００６７】
別の好適な泡立ち系は、水との接触時に気体を解放することができる過炭酸塩を含む。
【００６８】
非イオン性洗浄性界面活性剤
組成物は、非イオン性洗浄性界面活性剤を含んでよい。組成物は、組成物の０．５重量％〜１０重量％の非イオン性洗浄性界面活性剤を含んでよい。好ましくは、組成物は組成物の１重量％〜７重量％、または２重量％〜４重量％の非イオン性洗浄性界面活性剤を含む。非イオン性洗浄界面活性剤は、シェル（Shell）製ネオドール（NEODOL）（登録商標）非イオン性界面活性剤のようなＣ１２〜Ｃ１８アルキルエトキシレート；ここで、アルコキシラート単位は、エチレンオキシ単位、プロピレンオキシ単位、またはこれらの混合物であるＣ６〜Ｃ１２アルキルフェノールアルコキシラート；ＢＡＳＦ製プルロニック（Pluronic）（登録商標）のようなエチレンオキシド／プロピレンオキシドブロックポリマーとの、Ｃ１２〜Ｃ１８アルコールおよびＣ６〜Ｃ１２アルキルフェノール縮合物；米国特許第６，１５０，３２２号においてより詳細に記載されているＣ１４〜Ｃ２２中鎖分枝状アルコール，ＢＡ；米国特許第６，１５３，５７７号、米国特許第６，０２０，３０３号および米国特許第６，０９３，８５６号においてより詳細に記載されているＣ１４〜Ｃ２２中鎖分枝状アルキルアルコキシラート，ＢＡＥｘ、ここで、ｘは１〜３０である；米国特許第４，５６５，６４７号においてより詳細に記載されているアルキル多糖、特に、米国特許第４，４８３，７８０号および米国特許第４，４８３，７７９号においてより詳細に記載されているアルキルポリグリコシド；米国特許第５，３３２，５２８号、ＰＣＴ国際公開特許ＷＯ９２／０６１６２、ＰＣＴ国際公開特許ＷＯ９３／１９１４６、ＰＣＴ国際公開特許ＷＯ９３／１９０３８、およびＰＣＴ国際公開特許ＷＯ９４／０９０９９においてより詳細に記載されているポリヒドロキシ脂肪酸アミド；米国特許第６，４８２，９９４号およびＰＣＴ国際公開特許ＷＯ０１／４２４０８においてより詳細に記載されているエーテルで末端保護されたポリ（オキシアルキル化）アルコール界面活性剤；並びにこれらの混合物から成る群より選択することができる。
【００６９】
非イオン性洗浄性界面活性剤は、典型的にアルカリおよびアルカリ土類金属との炭酸エステル塩であり得る。好適な炭酸エステル塩は、次の式に対応する構造を有する：
Ｒ−Ｏ−Ｃ（Ｏ）−Ｏ−Ｘ＋
Ｘは、Ｎａ＋のような任意の好適な対イオンであり、Ｒは、任意の置換または非置換、直鎖または分枝鎖アルキル、好ましくはアルコキシル化アルキルであり、好ましくは１〜２０のエトキシ部分を含むエトキシ化アルキルである。
【００７０】
非イオン性洗浄性界面活性剤は、アルキルポリグルコシドおよび／またはアルキルアルコキシル化アルコールであり得る。好ましくは、非イオン性洗浄性界面活性剤は平均エトキシル化度１〜１０の直鎖または分枝鎖、置換または非置換Ｃ８〜１８アルキルエトキシ化アルコールである。
【００７１】
非イオン性洗浄性界面活性剤は、付加的な脂汚れ洗浄性能を提供するだけでなく、遊離カルシウムカチオンの存在下で溶液から沈殿しにくいアニオン性洗浄界面活性剤を作ることによって、アニオン性洗浄界面活性剤の活性を向上させる可能性もある。好ましくは、アニオン性洗浄界面活性剤の非イオン性洗浄性界面活性剤に対する重量比は、もし存在するならば、８：１未満、または７：１未満、または６：１未満、または５：１未満、好ましくは１：１〜５：１、または２：１〜５：１、またはさらに３：１〜４：１の範囲である。
【００７２】
非イオン性洗浄界面活性剤またはその少なくとも一部は、組成物中に液体スプレー式の形態で組み込まれることができ、この場合、液状（例えば、ホットメルト形態）の非イオン性洗浄界面活性剤またはその少なくとも一部が、組成物の残りに噴霧される。非イオン性洗浄界面活性剤またはその少なくとも一部は、粒子形態であってよく、非イオン性洗浄界面活性剤またはその少なくとも一部は、組成物の残りに乾燥追加されてよい。非イオン性洗浄性界面活性剤またはその少なくとも一部は、炭酸塩、硫酸塩、バーク石、シリカ、またはこれらのいずれかの混合物のような固体キャリア材料との共粒子混合物の形態であってよい。
【００７３】
非イオン性洗浄性界面活性剤またはその少なくとも一部は、アニオン性洗浄界面活性剤またはカチオン性洗浄性界面活性剤のいずれかとの共粒子混合物であってよい。しかし、非イオン性洗浄性界面活性剤またはその少なくとも一部は、好ましくはアニオン性洗浄界面活性剤およびカチオン性洗浄性界面活性剤両方との共粒子混合物ではない。非イオン性洗浄性界面活性剤またはその少なくとも一部は、アニオン性洗浄界面活性剤またはカチオン性洗浄性界面活性剤のいずれかと共に凝集または押出成形され得る。
【００７４】
非イオン性洗浄性界面活性剤は、２５℃においてポリグルコシドまたは炭酸塩エステルのような固体形態であってよい。組成物は、シリカ並びに所望によりナトリウムクメンスルホン酸塩、ナトリウムトルエンスルホン酸塩、ナトリウムキシレンスルホン酸塩、またはこれらの任意の混合物のようなヒドロトロープを含むことが可能である。非イオン性洗浄性界面活性剤は、シリカおよび所望によりヒドロトロープとの共粒子混合物の形態であってよい。
【００７５】
組成物が非イオン性洗浄性界面活性剤を含むとき、組成物は、典型的には、非イオン性洗浄性界面活性剤を超加熱スチームスプレー乾燥プロセスに付される方法により調製される。典型的にスチームは、少なくとも２００℃、好ましくは少なくとも２５０℃、または少なくとも３００℃、または少なくとも３５０℃、または少なくとも４００℃の温度である。平均乾燥持続時間は、典型的に６０秒未満、または４０秒未満、または更に２０秒未満である。プロセスは、典型的に、（ｉ）アニオン性洗浄界面活性剤のような洗剤成分を含む水性混合物を調製する工程、（ｉｉ）非イオン性洗浄性界面活性剤を前記水性混合物に接触させる工程、および（ｉｉｉ）工程（ｉｉ）から得られた前記混合物を乾燥工程に付す工程を含み、前記工程（ｉｉｉ）が前記工程（ｉｉ）において非イオン性界面活性剤が水性混合物に接触してから３００秒以内、好ましくは２００秒以内、または１００秒以内、または５０秒以内、または２５秒以内、または１０秒以内、または５秒以内に開始される方法を含む。好ましくは工程（ｉｉｉ）はスプレー乾燥工程である。
【００７６】
また組成物は、（ｉ）アニオン性洗浄界面活性剤のような洗剤成分を超加熱スチームスプレー乾燥工程に付す工程、および（ｉｉ）非イオン性界面活性剤を工程（ｉ）で形成された生成物に接触させる工程、を含む方法により調製されることが可能である。
【００７７】
ゼオライトビルダー
組成物は、組成物の０重量％〜５重量％未満、または〜４重量％、または〜３重量％、または〜２重量％、または〜１重量％のゼオライトビルダーを含む。組成物は、本質的にゼオライトビルダーフリーであることが更に好ましい場合がある。本質的にゼオライトビルダーフリーであるとは、典型的に、組成物が、意図的に添加されたゼオライトビルダーを含まないことを意味する。このことは、非水溶性残留物（例えば、これは布地表面に沈着する可能性がある）の量を最小限にするために、組成物が非常に溶解性が高いことが望ましい場合、および同様に透明な洗浄溶液を有することが極めて望ましい場合に、特に好ましい。ゼオライトビルダーとしては、ゼオライトＡ、ゼオライトＸ、ゼオライトＰ、およびゼオライトＭＡＰが挙げられる。
【００７８】
リン酸塩ビルダー
組成物は、組成物の０重量％〜５重量％未満、または〜４重量％、または〜３重量％、または〜２重量％、または〜１重量％のリン酸塩ビルダーを含む。組成物は、本質的にリン酸塩ビルダーフリーであることが更に好ましい可能性がある。本質的にリン酸塩ビルダーフリーであるとは、組成物が、典型的に、意図的に添加されたリン酸塩ビルダーを含まないことを意味する。このことは、組成物が非常に良好な環境プロファイルを有することが望ましい場合に、特に好ましい。リン酸塩ビルダーとしては、トリポリリン酸ナトリウムが挙げられる。
【００７９】
ケイ酸塩
組成物は、所望により組成物の０重量％〜５重量％未満、または〜４重量％，または〜３重量％、または〜２重量％、または〜１重量％のケイ酸塩を含む。組成物は、本質的にケイ酸塩フリーであることが更に好ましい場合がある。本質的にケイ酸塩フリーであるとは、組成物が、意図的に添加されたケイ酸塩を含まないことを意味する。このことは、組成物が非常に良好な分配および溶解特性を有することを確実にするため、および組成物を水に溶解する際に透明な洗浄溶液がもたらされることを確実にするために、特に好ましい。ケイ酸塩としては、非水溶性ケイ酸塩が挙げられる。ケイ酸塩としては、非晶質ケイ酸塩および結晶性層状ケイ酸塩（例えば、ＳＫＳ−６）が挙げられる。好ましいケイ酸塩は、ケイ酸ナトリウムである。
【００８０】
補助剤成分
組成物は、典型的に補助剤成分を含む。これらの補助剤成分としては、以下が挙げられる：カチオン性洗浄性界面活性剤、双極性イオン洗浄性界面活性剤、両性洗浄性界面活性剤のような洗浄性界面活性剤；好ましいカチオン性洗浄性界面活性剤は、モノ−Ｃ６〜１８アルキルモノ−ヒドロキシエチルジメチル四級アンモニウムクロライド、より好ましいのは、モノ−Ｃ８〜１０アルキルモノ−ヒドロキシエチルジメチル四級アンモニウムクロライド、モノ−Ｃ１０〜１２アルキルモノ−ヒドロキシエチルジメチル四級アンモニウムクロライド、およびモノ−Ｃ１０アルキルモノ−ヒドロキシエチルジメチル四級アンモニウムクロライドである；過炭酸塩および／または過ホウ酸塩のような過酸素の供給源、好ましいのは過炭酸ナトリウムであり、過酸素の供給源は、炭酸塩、硫酸塩、ケイ酸塩、ホウケイ酸塩、またはこれらの混合塩を包含する混合物のようなコーティング成分により、好ましくは少なくとも部分的にコーティングされる、好ましくは完全にコーティングされる；テトラアセチルエチレンジアミンのような漂白活性剤、ノナノイルオキシベンゼンスルホン酸塩のようなオキシベンゼンスルホン酸塩漂白活性剤、カプロラクタム漂白活性剤、Ｎ−ノナノイル−Ｎ−メチルアセトアミドのようなイミド漂白活性剤、Ｎ，Ｎ−フタロイルアミノペルオキシカプロン酸、ノニルアミノペルオキシアジピン酸または過酸化ジベンゾイルのような事前形成過酸；アミラーゼ、カルボヒドラーゼ、セルラーゼ、ラッカーゼ、オキシダーゼ、ペルオキシダーゼ、プロテアーゼ、ペクチン酸リア−ゼおよびマンナーゼのような酵素；シリコーン系泡抑制剤のような泡抑制系；光漂白剤；硫酸塩、好ましくは硫酸ナトリウムのような充填剤塩；クレイ、シリコーンおよび／または四級アンモニウム化合物のような布地柔軟化剤；ポリエチレンオキシドのような凝集剤；ポリビニルピロリドン、ポリ４−ビニルピリジンＮ−オキシドおよび／またはビニルピロリドンとビニルイミダゾールのコポリマーのような移染防止剤；イミダゾールとエピクロロヒドリンを縮合することにより製造される疎水変性セルロースおよびオリゴマーのような布地完全性構成成分（fabric integrity components）；アルコキシ化ポリアミンおよびエトキシ化エチレンイミンポリマーのような汚れ分散剤および抗汚れ再付着助剤；ポリエステルのような抗再付着構成成分；香料；スルファミン酸またはその塩；クエン酸またはその塩；橙色染料、青色染料、緑色染料、紫色染料、桃色染料、またはこれらの混合物のような染料；炭酸ナトリウムおよび／または重炭酸ナトリウムのような炭酸塩；マレイン酸とアクリル酸のコポリマーのようなカルボン酸ポリマー。
【００８１】
好ましくは、組成物は、１重量％未満の塩素漂白剤および１重量％未満の臭素漂白剤を含む。好ましくは、組成物は、本質的に臭素漂白剤および塩素漂白剤フリーである。典型的に、「本質的にフリーである」とは、「意図的に添加されたものを含まない」ことを意味する。
【実施例】
【００８２】
以下の固体洗濯洗剤組成物は、本発明に従う：
【表１】
2009504871.tif 000008
＊成分は、遷移金属イオン系漂白触媒、漂白促進成分、高エトキシ化非イオン性界面活性剤、ポリアミドアミン、四級ニトリル漂白促進成分、硬度耐性界面活性剤、バーク石、グルカナーゼ、リパーゼ、ポリビニルピロリドン、カルボキシメチルセルロース、蛍光漂白剤、および非イオン性洗浄性界面活性剤から成る群から選択される。
【国際調査報告】
2009504871.tif 000009
2009504871.tif 000010
2009504871.tif 000011
2009504871.tif 000012